(57)【要約】【課題】ベッドに対して安定して装着することができ、かつ使い勝手の良いベッド用小物入れを提供する。【解決手段】本発明に係るベッド用小物入れは、各種の小物が載置される収納部１５を備えた本体１０と、この本体１０の下方に突出して設けられ、ベッドサイドに設けられた複数の柵固定用の保持穴に挿入される脚部１３とを有することを特徴とする。【選択図】    図１
2005110921.tif 000002
【特許請求の範囲】
【請求項１】
各種の小物が載置される収納部を備えた本体と、この本体の下方に突出して設けられ、ベッドサイドに設けられた複数の柵固定用の保持穴に挿入される脚部と、を有することを特徴とするベッド用小物入れ。
【請求項２】
前記本体には、一対の側板と、この側板間に横架され、ベッドに装着された際、ベッドの長手方向に沿って延出する少なくとも１本以上の横架部材が設けられることを特徴とする請求項１に記載のベッド用小物入れ。
【請求項３】
前記本体には、前記脚部と対向する位置に、この脚部と共に本体を自立可能にする第２の脚部が設けられることを特徴とする請求項１又は２に記載のベッド用小物入れ。
【発明の詳細な説明】
【技術分野】
【０００１】
本発明は、ベッドに対して着脱可能なベッド用小物入れに関する。
【背景技術】
【０００２】
従来、ベッド生活者にとって便利となるように、身の回り品（ティッシュ、飲料等）を手の届く範囲に置けるようにする各種の小物入れが知られている。例えば、特許文献１には、ベッドに装着されている柵を構成する支柱パイプに、その柵の外側から係止できるように構成した箱体が開示されている。また、特許文献２には、ベッドに装着されている柵を構成する上部パイプに挟持される小物入れが開示されている。
【特許文献１】特開２００１−２９９８３１
【特許文献２】実開平５−８０３５０
【発明の開示】
【発明が解決しようとする課題】
【０００３】
しかし、上記した従来のベッド用の小物入れは、ベッドの柵に対して別途、装着される構成であることから、その装着状態が安定せず、重量物を置いた場合など、外れてしまう可能性があると共に、柵の存在により使い勝手が悪いという問題がある。また、小物入れは、ベッドの柵のパイプ部分に係合されることを前提として作成されているため、その使用用途が限定されてしまう、という問題がある。
本発明は、このような問題に着目してなされたものであり、ベッドに対して安定して装着することができ、かつ使い勝手の良いベッド用小物入れを提供することを目的とする。
【課題を解決するための手段】
【０００４】
上記した課題を解決するために、本発明は、ベッドに予め設けられている柵固定用の保持穴に着目し、柵の代わりとなる小物入れを、この保持穴に挿入するように構成したことを特徴とする。すなわち、本発明に係るベッド用小物入れは、各種の小物が載置される収納部を備えた本体と、この本体の下方に突出して設けられ、ベッドサイドに設けられた複数の柵固定用の保持穴に挿入される脚部とを有することを特徴とする。
このような構成によれば、ベッドサイドに設けられた柵固定用の保持穴を利用して、直接小物入れを設置するため、装着状態が安定し、重量物を置いた場合でも、外れたり脱落するようなことが防止される。また、ベッドに設置される柵部分に、別途取り付ける構成でないため、使用時に柵が邪魔するようなことも無く、使い勝手が良くなる。
【０００５】
また、請求項２に係る発明は、上記した本体に、一対の側板と、この側板間に横架され、ベッドに装着された際、ベッドの長手方向に沿って延出する少なくとも１本以上の横架部材を設けたことを特徴とする。  
このような構成によれば、側板や横架部材が柵と同様な役目を果たすため、使用者がベッドから落下することを効果的に防止することが可能になる。また、横架部材が、取っ手としての機能を果たすことができるため、持ち運び等が容易に行なえる。
【０００６】
また、請求項３に係る発明は、上記した本体に、保持穴挿入用の脚部と対向する位置に、この脚部と共に本体を自立可能にする第２の脚部を設けたことを特徴とする。  
このような構成によれば、ベッドと関係のない場所においても、それ自体が自立するので、単なる小物入れ（例えば、新聞ラックなど）としての機能が発揮される。
【発明の効果】
【０００７】
本発明の構成によれば、ベッドに対して安定して装着することができ、かつ使い勝手の良いベッド用小物入れが得られるようになる。
【発明を実施するための最良の形態】
【０００８】
以下、本発明の一実施形態を、図１〜図４を参照して具体的に説明する。  
これらの図において、図１は、ベッド用小物入れの全体構成を示す斜視図、図２は、ベッド用小物入れをベッドに装着する状態を示す斜視図、図３は、ベッド用小物入れをベッドに装着した状態を示す斜視図、そして、図４（ａ）及び（ｂ）は、夫々自立した状態のベッド用小物入れを示す斜視図である。
【０００９】
本実施形態に係るベッド用小物入れ（以下、「小物入れ」とする）１は、樹脂、木材、金属等によって構成される本体１０を備えており、この本体１０は、底板となるベース１２と、ベース１２の下面に突出形成された脚部（本実施形態では、２本の脚部）１３とを備えている。この場合、脚部１３は、通常のベッド５０の両サイドに複数個設けられている柵固定用の保持穴５１の間隔と同間隔で設けられている。
【００１０】
上記したベース１２は、その表面上に、各種の小物６０が載置される載置部１５（収納部）としての機能を有する。また、本体１０には、図に示すように、ベース１２の両側に側板２０を設けたり、載置部１５に置かれる各種の小物６０が規制されるように、ベース１２上で側板間に一対の規制壁２１を設けても良く、更には、規制壁２１間に複数の仕切り部材２３を設けても良い。
【００１１】
また、上記した側板２０間には、横架部材２６，２７を設けても良く、更には、ベース１２の下面に、上記した脚部１３と対向する位置に、この脚部１３と共に本体１０を自立可能にする第２の脚部１７を設けても良い。この場合、本実施形態の第２の脚部１７は、図４（ｂ）に示すように、下面が湾曲形成されたプレート状の部材によって構成されている。
【００１２】
上記した構成の小物入れ１は、図２に示すように、ベッド５０の両サイドに複数個設けられている柵固定用の保持穴５１に脚部１３を挿入することで設置される（図３参照）。この場合、装着位置は使用者によって適宜定められ、使用されるベッド５０については、柵固定用の保持穴が設けられているものであれば、その構成については限定されることは無い。
【００１３】
このように、ベッドサイドに設けられている柵固定用の保持穴５１を利用して、直接小物入れ１を設置するため、その装着状態が安定し、重量物を置いた場合でも、従来の小物入れのように柵から外れたり脱落するようなことがない。また、柵部分に装着する構成ではないため、柵が邪魔するようなことが無く、使い勝手が良くなる。そして、ベース１２によって構成される載置部１５は、規制壁２１や仕切り部材２３によって区画されていることから、この上に各種の小物を落下させること無く、整理して載置することが可能となる。
【００１４】
また、上記したように横架部材２６，２７を設けたことにより、着脱時や搬送時等、容易に取り扱える取っ手としての機能が得られと共に、この横架部材２６，２７、及び側板２０や規制壁２１によって、従来の柵と同様、使用者が落下することを防止する落下防止機能が得られるようになる。
【００１５】
さらに、上記したように、ベッド固定用の脚部１３に加え、第２の脚部１７を設けたことにより、図４（ａ），（ｂ）に示すように、ベッドとは関係のない位置で自立することができるため、単なる小物入れ（例えば、新聞ラックなど）として利用することが可能となる。
【００１６】
以上、本発明の実施形態について説明したが、本発明は、上記した実施形態に限定されることは無く、種々変形して実施することが可能である。例えば、ベッドの柵固定用の保持穴に嵌入される脚部１３は、１本であっても良いし、３本以上あっても良い。また、収納部１５の構成については、適宜変形することが可能であり、第２の脚部１７についてもその形状については、適宜変形することが可能である。
【図面の簡単な説明】
【００１７】
【図１】本発明に係るベッド用小物入れの全体構成を示す斜視図。
【図２】ベッド用小物入れをベッドに装着する状態を示す斜視図。
【図３】ベッド用小物入れをベッドに装着した状態を示す斜視図。
【図４】（ａ）及び（ｂ）は、夫々自立した状態のベッド用小物入れを示す斜視図。
【符号の説明】
【００１８】
１  ベッド用小物入れ
１０  本体
１２  ベース
１３  脚部
１５  収納部
１７  第２の脚部
２０  側板
２６，２７  横架部材
５０  ベッド
５１  柵固定用の保持穴
【図１】
2005110921.tif 000003
【図２】
2005110921.tif 000004
【図３】
2005110921.tif 000005
【図４】
2005110921.tif 000006